(57)【要約】【課題】本発明はユーザが交通機関を利用して移動する場合に目的地への到着予定時刻などの情報を入手することが可能な通過情報配信方法及びシステム並びに通過情報配信サーバを提供することを目的とする。【解決手段】ユーザの予定移動経路に関する情報を事前に登録しておき、利用する交通機関の時刻表の情報を予め保持しておき、ユーザの所持する記録媒体がゲートを通過したことを表す通過情報を入手し、特定ユーザの登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得し、前記予定時刻を含む情報を配信サーバ装置から宛先の通信端末装置に通知する。【選択図】      図１
2004234170.tif 000002
【特許請求の範囲】
【請求項１】
所定の配信サーバ装置から予め登録された宛先の通信端末装置に対して必要とされる情報を配信するための通過情報配信方法であって、
ユーザが所有可能な特定の記録媒体と、特定の場所に予め設置されたゲート装置と、前記ゲート装置及び通信端末装置を前記配信サーバ装置と接続するための通信網とを用いて、
前記記録媒体には少なくとも固有の媒体ＩＤを保持しておき、
ユーザの予定移動経路に関する少なくとも出発地点又は経由地点並びに到着地点の情報と、宛先の通信端末装置を特定するための情報とを含む登録情報をユーザ毎に所定の場所に保持しておき、
ユーザが利用する交通機関の運行スケジュールを表す時刻表の情報を予め保持しておき、
前記記録媒体が前記ゲート装置を通過したことを表す通過情報を入手し、
前記通過情報に基づいて、通過した記録媒体の媒体ＩＤに対応する特定ユーザの登録情報を取得し、
前記登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得し、
前記予定時刻を含む情報を前記配信サーバ装置から宛先の通信端末装置に通知する
ことを特徴とする通過情報配信方法。
【請求項２】
請求項１の通過情報配信方法において、各ゲート装置に設置した読み取り装置を用いて、前記記録媒体が前記ゲート装置を通過する際に、前記記録媒体に記録された媒体ＩＤを読み取り、前記通過情報として利用することを特徴とする通過情報配信方法。
【請求項３】
請求項１の通過情報配信方法において、各ユーザの登録情報をユーザが所持する前記記録媒体に予め記録しておき、前記記録媒体が前記ゲート装置を通過する際に、登録情報を前記記録媒体から読み取って前記配信サーバ装置に通知することを特徴とする通過情報配信方法。
【請求項４】
所定の配信サーバ装置から予め登録された宛先の通信端末装置に対して必要とされる情報を配信するための通過情報配信方法であって、
ユーザが所有可能な特定の記録媒体と、特定の場所に予め設置されたゲート装置と、前記ゲート装置及び通信端末装置を前記配信サーバ装置と接続するための通信網とを用いて、
前記記録媒体には少なくとも固有の媒体ＩＤを保持しておき、
ユーザの予定移動経路に関する少なくとも出発地点又は経由地点並びに到着地点の情報と、宛先の通信端末装置を特定するための情報とを含む登録情報をユーザ毎に所定の場所に保持しておき、
ユーザが利用する道路の状況を表す交通情報を入手し、
前記記録媒体が前記ゲート装置を通過したことを表す通過情報を入手し、
前記通過情報に基づいて、通過した記録媒体の媒体ＩＤに対応する特定ユーザの登録情報を取得し、
前記登録情報の内容と、前記記録媒体がゲート装置を通過した時刻と、前記ゲート装置の設置場所と、取得した交通情報とに基づいて前記登録情報の到着地点にユーザが到着する予定時刻に関する情報を取得し、
前記予定時刻を含む情報を前記配信サーバ装置から宛先の通信端末装置に通知する
ことを特徴とする通過情報配信方法。
【請求項５】
請求項１，請求項２，請求項３及び請求項４の何れかの通過情報配信方法において、各ユーザの登録情報を各ユーザが所持する前記記録媒体に割り当てられた媒体ＩＤによって管理することを特徴とする通過情報配信方法。
【請求項６】
所定の配信サーバ装置から予め登録された宛先の通信端末装置に対して必要とされる情報を配信するための通過情報配信システムであって、
少なくとも固有の媒体ＩＤを保持し、ユーザが所有可能な特定の記録媒体と、
特定の場所に予め設置されたゲート装置と、
前記ゲート装置及び通信端末装置を前記配信サーバ装置と接続するための通信網と、
ユーザの予定移動経路に関する少なくとも出発地点又は経由地点並びに到着地点の情報と、宛先の通信端末装置を特定するための情報とを含む登録情報をユーザ毎に保持する登録情報保持手段と、
ユーザが利用する交通機関の運行スケジュールを表す時刻表の情報を予め保持する時刻表保持手段と、
前記記録媒体が前記ゲート装置を通過したことを表す通過情報を入手する通過検出手段と、
前記通過情報に基づいて、通過した記録媒体の媒体ＩＤに対応する特定ユーザの登録情報を取得する登録情報取得手段と、
前記登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得する到着予定時刻計算手段と、
前記予定時刻を含む情報を前記配信サーバ装置から宛先の通信端末装置に通知する情報通知手段と
を設けたことを特徴とする通過情報配信システム。
【請求項７】
請求項６の通過情報配信システムにおいて、各ゲート装置に前記記録媒体の情報を読み取るための読み取り装置を設け、前記読み取り装置を用いて、前記記録媒体が前記ゲート装置を通過する際に、前記記録媒体に記録された媒体ＩＤを読み取り、前記通過情報として利用することを特徴とする通過情報配信システム。
【請求項８】
請求項６の通過情報配信システムにおいて、各ユーザの登録情報をユーザが所持する前記記録媒体に予め記録しておき、前記ゲート装置は前記記録媒体が通過する際に、登録情報を前記記録媒体から読み取って前記配信サーバ装置に通知することを特徴とする通過情報配信システム。
【請求項９】
所定の配信サーバ装置から予め登録された宛先の通信端末装置に対して必要とされる情報を配信するための通過情報配信システムであって、
少なくとも固有の媒体ＩＤを保持し、ユーザが所有可能な特定の記録媒体と、
特定の場所に予め設置されたゲート装置と、
前記ゲート装置及び通信端末装置を前記配信サーバ装置と接続するための通信網と、
ユーザの予定移動経路に関する少なくとも出発地点又は経由地点並びに到着地点の情報と、宛先の通信端末装置を特定するための情報とを含む登録情報をユーザ毎に保持する登録情報保持手段と、
ユーザが利用する道路の状況を表す交通情報を入手する交通情報取得手段と、
前記記録媒体が前記ゲート装置を通過したことを表す通過情報を入手する通過検出手段と、
前記通過情報に基づいて、通過した記録媒体の媒体ＩＤに対応する特定ユーザの登録情報を取得する登録情報取得手段と、
前記登録情報の内容と、前記記録媒体がゲート装置を通過した時刻と、前記ゲート装置の設置場所と、前記交通情報とに基づいて前記登録情報の到着地点にユーザが到着する予定時刻に関する情報を取得する到着予定時刻計算手段と、
前記予定時刻を含む情報を前記配信サーバ装置から宛先の通信端末装置に通知する情報通知手段と
を設けたことを特徴とする通過情報配信システム。
【請求項１０】
請求項６，請求項７，請求項８及び請求項９の何れかの通過情報配信システムにおいて、各ユーザの登録情報を各ユーザが所持する前記記録媒体に割り当てられた媒体ＩＤによって管理することを特徴とする通過情報配信システム。
【請求項１１】
予め登録された宛先の通信端末装置に対して必要とされる情報を配信するための通過情報配信サーバであって、
ユーザの予定移動経路に関する少なくとも出発地点又は経由地点並びに到着地点の情報と、宛先の通信端末装置を特定するための情報とを含む登録情報をユーザ毎に取得する登録情報取得手段と、
ユーザが利用する交通機関の運行スケジュールを表す時刻表の情報を予め保持する時刻表保持手段と、
ユーザが所有可能な特定の記録媒体が特定の場所に予め設置されたゲート装置の位置を通過したことを表す通過情報を入手する通過情報入手手段と、
前記通過情報に基づいて、通過した記録媒体の媒体ＩＤに対応する特定ユーザの登録情報を選択する登録情報選択手段と、
前記登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得する到着予定時刻計算手段と、
前記予定時刻を含む情報を宛先の通信端末装置に通知する情報通知手段と
を設けたことを特徴とする通過情報配信サーバ。
【請求項１２】
請求項１０の通過情報配信サーバにおいて、前記登録情報取得手段は各ユーザの登録情報を前記ゲート装置を介してユーザの所有する前記記録媒体から取得することを特徴とする通過情報配信サーバ。
【請求項１３】
予め登録された宛先の通信端末装置に対して必要とされる情報を配信するための通過情報配信サーバであって、
ユーザの予定移動経路に関する少なくとも出発地点又は経由地点並びに到着地点の情報と、宛先の通信端末装置を特定するための情報とを含む登録情報をユーザ毎に取得する登録情報取得手段と、
ユーザが利用する道路の状況を表す交通情報を入手する交通情報取得手段と、
ユーザが所有可能な特定の記録媒体が特定の場所に予め設置されたゲート装置の位置を通過したことを表す通過情報を入手する通過情報入手手段と、
前記通過情報に基づいて、通過した記録媒体の媒体ＩＤに対応する特定ユーザの登録情報を選択する登録情報選択手段と、
前記登録情報の内容と、前記記録媒体がゲート装置を通過した時刻と、前記ゲート装置の設置場所と、前記交通情報とに基づいて前記登録情報の到着地点にユーザが到着する予定時刻に関する情報を取得する到着予定時刻計算手段と、
前記予定時刻を含む情報を宛先の通信端末装置に通知する情報通知手段と
を設けたことを特徴とする通過情報配信サーバ。
【請求項１４】
請求項１１，請求項１２及び請求項１３の何れかの通過情報配信サーバにおいて、各ユーザの登録情報を各ユーザが所持する前記記録媒体に割り当てられた媒体ＩＤによって管理することを特徴とする通過情報配信サーバ。
【発明の詳細な説明】
【０００１】
【発明の属する技術分野】
本発明は、人間などが移動する場合に必要な情報を利用者に提供するために利用可能な通過情報配信方法及びシステム並びに通過情報配信サーバに関する。
【０００２】
【従来の技術】
携帯電話などの移動端末を所持しているユーザに対しては、移動する際に移動に伴って必要となる様々な情報を移動端末を介して提供するのが望ましい。
例えば、特許文献１の従来技術においては、基地局毎にそれが設置されている地域に関する情報を所定の情報管理サーバから取得し、移動によって移動端末にサービスを提供する基地局が切り替わると、移動先の地域情報を基地局から取得するように制御している。
【０００３】
従って、ユーザは移動先に関連のある情報を移動端末から入手することができる。
【特許文献１】
特開２００１−３５２５８５
【０００４】
【発明が解決しようとする課題】
例えば、ユーザが電車や自動車などの交通機関を利用して比較的広い範囲に渡って移動するような場合には、目的地に到着する時刻は非常に重要である。もしも、電車を利用して移動しようとする場合には、その電車の運行スケジュールを表す時刻表を参照することにより、目的地への到着予定時刻をある程度予想することもできる。
【０００５】
しかしながら、ユーザが予定したスケジュールの通りに行動するとは限らないので、例えば出発駅にユーザが到着する時刻は未定であり、目的地への到着予定時刻も予想できない。従って、ユーザが実際に電車に乗車した後で時刻表を調べて到着予定時刻を予想することになるが、時刻表が手元になければ到着予定時刻を知ることもできないし、時刻表を調べるのは面倒である。
【０００６】
本発明は、ユーザが交通機関を利用して移動する場合に、目的地への到着予定時刻などの情報を入手することが可能な通過情報配信方法及びシステム並びに通過情報配信サーバを提供することを目的とする。
【０００７】
【課題を解決するための手段】
請求項１は、所定の配信サーバ装置から予め登録された宛先の通信端末装置に対して必要とされる情報を配信するための通過情報配信方法であって、ユーザが所有可能な特定の記録媒体と、特定の場所に予め設置されたゲート装置と、前記ゲート装置及び通信端末装置を前記配信サーバ装置と接続するための通信網とを用いて、前記記録媒体には少なくとも固有の媒体ＩＤ（識別情報）を保持しておき、ユーザの予定移動経路に関する少なくとも出発地点又は経由地点並びに到着地点の情報と、宛先の通信端末装置を特定するための情報とを含む登録情報をユーザ毎に所定の場所に保持しておき、ユーザが利用する交通機関の運行スケジュールを表す時刻表の情報を予め保持しておき、前記記録媒体が前記ゲート装置を通過したことを表す通過情報を入手し、前記通過情報に基づいて、通過した記録媒体の媒体ＩＤに対応する特定ユーザの登録情報を取得し、前記登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得し、前記予定時刻を含む情報を前記配信サーバ装置から宛先の通信端末装置に通知することを特徴とする。
【０００８】
請求項１においては、ユーザの所有する記録媒体がゲート装置を通過したことを検出すると、その情報に基づいてユーザの到着予定時刻を自動的に取得し、その情報をユーザなどに提供することができる。
すなわち、時刻表の情報を予め保持しているので、出発地点又は経由地点に配置されたゲート装置を通過した時刻とゲート装置の位置と到着地点とに基づいて、時刻表の内容から到着地点に到着する時刻を求めることができる。
【０００９】
情報配信先の通信端末装置としては、携帯電話，固定電話，ＦＡＸ，パソコンなどを利用できるし、情報配信の形態としては音声メッセージ，ＦＡＸ，メールなどが考えられる。
請求項２は、請求項１の通過情報配信方法において、各ゲート装置に設置した読み取り装置を用いて、前記記録媒体が前記ゲート装置を通過する際に、前記記録媒体に記録された媒体ＩＤを読み取り、前記通過情報として利用することを特徴とする。
【００１０】
請求項２においては、記録媒体がゲート装置を通過する際に、読み取り装置が記録媒体から媒体ＩＤを読み取るので、その記録媒体を所有するユーザがゲート装置を通過したことを認識できる。
請求項３は、請求項１の通過情報配信方法において、各ユーザの登録情報をユーザが所持する前記記録媒体に予め記録しておき、前記記録媒体が前記ゲート装置を通過する際に、登録情報を前記記録媒体から読み取って前記配信サーバ装置に通知することを特徴とする。
【００１１】
請求項３においては、各ユーザの登録情報を記録媒体を介して配信サーバ装置に通知するので、事前に登録情報を配信サーバ装置上のデータベースに登録しておく必要がない。
請求項４は、所定の配信サーバ装置から予め登録された宛先の通信端末装置に対して必要とされる情報を配信するための通過情報配信方法であって、ユーザが所有可能な特定の記録媒体と、特定の場所に予め設置されたゲート装置と、前記ゲート装置及び通信端末装置を前記配信サーバ装置と接続するための通信網とを用いて、前記記録媒体には少なくとも固有の媒体ＩＤを保持しておき、ユーザの予定移動経路に関する少なくとも出発地点又は経由地点並びに到着地点の情報と、宛先の通信端末装置を特定するための情報とを含む登録情報をユーザ毎に所定の場所に保持しておき、ユーザが利用する道路の状況を表す交通情報を入手し、前記記録媒体が前記ゲート装置を通過したことを表す通過情報を入手し、前記通過情報に基づいて、通過した記録媒体の媒体ＩＤに対応する特定ユーザの登録情報を取得し、前記登録情報の内容と、前記記録媒体がゲート装置を通過した時刻と、前記ゲート装置の設置場所と、取得した交通情報とに基づいて前記登録情報の到着地点にユーザが到着する予定時刻に関する情報を取得し、前記予定時刻を含む情報を前記配信サーバ装置から宛先の通信端末装置に通知することを特徴とする。
【００１２】
請求項４においては、ユーザが高速道路を自動車で移動するような場合を想定している。このような道路に関しては、例えば、渋滞の発生によりＡ地点からＢ地点までの所要時間がＸ分のような交通情報を提供するサービスが存在している。また、各地点間の距離は予め知ることができるので、移動速度が一定であれば、車両から得られる移動速度の情報に基づいて複数地点間の移動所要時間を求めることもできる。
【００１３】
従って、道路上の特定箇所あるいは料金所にゲート装置を設置しておけば、１つのゲート装置を記録媒体が通過した時刻及びその位置に基づいて、到着予定時刻を求めることができる。
請求項５は、請求項１，請求項２，請求項３及び請求項４の何れかの通過情報配信方法において、各ユーザの登録情報を各ユーザが所持する前記記録媒体に割り当てられた媒体ＩＤによって管理することを特徴とする。
【００１４】
請求項５においては、媒体ＩＤをユーザに対応付けて管理するので情報の管理及び処理が容易になる。
請求項６は、所定の配信サーバ装置から予め登録された宛先の通信端末装置に対して必要とされる情報を配信するための通過情報配信システムであって、少なくとも固有の媒体ＩＤを保持し、ユーザが所有可能な特定の記録媒体と、特定の場所に予め設置されたゲート装置と、前記ゲート装置及び通信端末装置を前記配信サーバ装置と接続するための通信網と、ユーザの予定移動経路に関する少なくとも出発地点又は経由地点並びに到着地点の情報と、宛先の通信端末装置を特定するための情報とを含む登録情報をユーザ毎に保持する登録情報保持手段と、ユーザが利用する交通機関の運行スケジュールを表す時刻表の情報を予め保持する時刻表保持手段と、前記記録媒体が前記ゲート装置を通過したことを表す通過情報を入手する通過検出手段と、前記通過情報に基づいて、通過した記録媒体の媒体ＩＤに対応する特定ユーザの登録情報を取得する登録情報取得手段と、前記登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得する到着予定時刻計算手段と、前記予定時刻を含む情報を前記配信サーバ装置から宛先の通信端末装置に通知する情報通知手段とを設けたことを特徴とする。
【００１５】
請求項６のシステムを用いることにより、請求項１と同様の結果が得られる。
請求項７は、請求項６の通過情報配信システムにおいて、各ゲート装置に前記記録媒体の情報を読み取るための読み取り装置を設け、前記読み取り装置を用いて、前記記録媒体が前記ゲート装置を通過する際に、前記記録媒体に記録された媒体ＩＤを読み取り、前記通過情報として利用することを特徴とする。
【００１６】
請求項７のシステムを用いることにより、請求項２と同様の結果が得られる。
請求項８は、請求項６の通過情報配信システムにおいて、各ユーザの登録情報をユーザが所持する前記記録媒体に予め記録しておき、前記ゲート装置は前記記録媒体が通過する際に、登録情報を前記記録媒体から読み取って前記配信サーバ装置に通知することを特徴とする。
【００１７】
請求項８のシステムを用いることにより、請求項３と同様の結果が得られる。
請求項９は、所定の配信サーバ装置から予め登録された宛先の通信端末装置に対して必要とされる情報を配信するための通過情報配信システムであって、少なくとも固有の媒体ＩＤを保持し、ユーザが所有可能な特定の記録媒体と、特定の場所に予め設置されたゲート装置と、前記ゲート装置及び通信端末装置を前記配信サーバ装置と接続するための通信網と、ユーザの予定移動経路に関する少なくとも出発地点又は経由地点並びに到着地点の情報と、宛先の通信端末装置を特定するための情報とを含む登録情報をユーザ毎に保持する登録情報保持手段と、ユーザが利用する道路の状況を表す交通情報を入手する交通情報取得手段と、前記記録媒体が前記ゲート装置を通過したことを表す通過情報を入手する通過検出手段と、前記通過情報に基づいて、通過した記録媒体の媒体ＩＤに対応する特定ユーザの登録情報を取得する登録情報取得手段と、前記登録情報の内容と、前記記録媒体がゲート装置を通過した時刻と、前記ゲート装置の設置場所と、前記交通情報とに基づいて前記登録情報の到着地点にユーザが到着する予定時刻に関する情報を取得する到着予定時刻計算手段と、前記予定時刻を含む情報を前記配信サーバ装置から宛先の通信端末装置に通知する情報通知手段とを設けたことを特徴とする。
【００１８】
請求項９のシステムを用いることにより、請求項４と同様の結果が得られる。
請求項１０は、請求項６，請求項７，請求項８及び請求項９の何れかの通過情報配信システムにおいて、各ユーザの登録情報を各ユーザが所持する前記記録媒体に割り当てられた媒体ＩＤによって管理することを特徴とする。
請求項１０のシステムを用いることにより、請求項５と同様の結果が得られる。
【００１９】
請求項１１は、予め登録された宛先の通信端末装置に対して必要とされる情報を配信するための通過情報配信サーバであって、ユーザの予定移動経路に関する少なくとも出発地点又は経由地点並びに到着地点の情報と、宛先の通信端末装置を特定するための情報とを含む登録情報をユーザ毎に取得する登録情報取得手段と、ユーザが利用する交通機関の運行スケジュールを表す時刻表の情報を予め保持する時刻表保持手段と、ユーザが所有可能な特定の記録媒体が特定の場所に予め設置されたゲート装置の位置を通過したことを表す通過情報を入手する通過情報入手手段と、前記通過情報に基づいて、通過した記録媒体の媒体ＩＤに対応する特定ユーザの登録情報を選択する登録情報選択手段と、前記登録情報の内容と、前記記録媒体がゲート装置を通過した時刻と、前記ゲート装置の設置場所と、前記時刻表の情報とに基づいて前記登録情報の到着地点にユーザが到着する予定時刻に関する情報を取得する到着予定時刻計算手段と、前記予定時刻を含む情報を宛先の通信端末装置に通知する情報通知手段とを設けたことを特徴とする。
【００２０】
請求項１１の通過情報配信サーバを用いることにより、請求項６と同様のシステムを構成できる。
請求項１２は、請求項１０の通過情報配信サーバにおいて、前記登録情報取得手段は各ユーザの登録情報を前記ゲート装置を介してユーザの所有する前記記録媒体から取得することを特徴とする。
【００２１】
請求項１２の通過情報配信サーバを用いることにより、請求項８と同様のシステムを構成できる。
請求項１３の通過情報配信サーバは、予め登録された宛先の通信端末装置に対して必要とされる情報を配信するための通過情報配信サーバであって、ユーザの予定移動経路に関する少なくとも出発地点又は経由地点並びに到着地点の情報と、宛先の通信端末装置を特定するための情報とを含む登録情報をユーザ毎に取得する登録情報取得手段と、ユーザが利用する道路の状況を表す交通情報を入手する交通情報取得手段と、ユーザが所有可能な特定の記録媒体が特定の場所に予め設置されたゲート装置の位置を通過したことを表す通過情報を入手する通過情報入手手段と、前記通過情報に基づいて、通過した記録媒体の媒体ＩＤに対応する特定ユーザの登録情報を選択する登録情報選択手段と、前記登録情報の内容と、前記記録媒体がゲート装置を通過した時刻と、前記ゲート装置の設置場所と、前記交通情報とに基づいて前記登録情報の到着地点にユーザが到着する予定時刻に関する情報を取得する到着予定時刻計算手段と、前記予定時刻を含む情報を宛先の通信端末装置に通知する情報通知手段とを設けたことを特徴とする。
【００２２】
請求項１３の通過情報配信サーバを用いることにより、請求項９と同様のシステムを構成できる。
請求項１４は、請求項１１，請求項１２及び請求項１３の何れかの通過情報配信サーバにおいて、各ユーザの登録情報を各ユーザが所持する前記記録媒体に割り当てられた媒体ＩＤによって管理することを特徴とする。
【００２３】
請求項１４の通過情報配信サーバを用いることにより、請求項１０と同様のシステムを構成できる。
【００２４】
【発明の実施の形態】
（第１の実施の形態）
本発明の通過情報配信方法及びシステム並びに通過情報配信サーバの１つの実施の形態について、図１〜図４を参照して説明する。この形態は請求項１，請求項２，請求項５，請求項６，請求項７，請求項１０，請求項１１及び請求項１４に相当する。
【００２５】
図１はシステムの動作例を示すシーケンス図である。図２はシステムの構成例を示すブロック図である。図３は登録情報の構成例を示す模式図である。図４は登録情報の具体例を示す模式図である。
この形態では、請求項６の記録媒体，ゲート装置，通信網，登録情報保持手段，時刻表保持手段，通過検出手段，登録情報取得手段，到着予定時刻計算手段及び情報通知手段は、それぞれ認証媒体１０，ゲート装置２０，通信網４０，登録情報ＤＢ（データーベース、以下同様）３４，時刻表ＤＢ３５，媒体リーダ２１，ステップＳ１４，ステップＳ１６及びステップＳ１８に対応する。また、請求項７の読み取り装置は媒体リーダ２１に対応する。
【００２６】
この形態の通過情報配信システムは、図２に示すように認証媒体１０，複数のゲート装置２０，媒体リーダ２１，配信装置３０，通信網４０，設定端末４１及び宛先端末４２で構成されている。
また、配信装置３０にはＷｅｂサーバ３１，配信サーバ３２，ユーザ情報ＤＢ３３，登録情報ＤＢ３４及び時刻表ＤＢ３５が備わっている。
【００２７】
この形態では、ユーザが電車を利用して移動する場合を想定している。そのため、ゲート装置２０（１），２０（２），２０（３），・・・は鉄道の各駅、具体的には改札口のようにユーザが必ず通過する場所に設置されている。
【００２８】
認証媒体１０は、例えばＩＣカードや磁気カードのように記録した情報を保持できる媒体である。この認証媒体１０には、少なくとも媒体毎に割り当てられた固有の媒体ＩＤが保持されている。ユーザは、この認証媒体１０を携帯して移動する。
設定端末４１としては、例えば携帯電話，携帯情報端末，ＰＣ端末（パソコン）などを利用できる。また、宛先端末４２としては携帯電話，固定電話，ＦＡＸ，ＰＣ端末などを利用できる。また、同じ端末を設定端末４１及び宛先端末４２に共用することもできる。
【００２９】
この携帯では、ユーザの移動予定に関する情報を事前に配信装置３０上の登録情報ＤＢ３４に登録する。また、各ユーザに割り当てられたユーザＩＤと所持している認証媒体１０の媒体ＩＤとの対応関係を表す情報をユーザ情報ＤＢ３３に登録する。
この場合、ユーザは設定端末４１を利用し通信網４０を介してＷｅｂサーバ３１にアクセスし、移動予定の情報をＷｅｂサーバ３１に送信する。Ｗｅｂサーバ３１はユーザから得た情報を登録情報ＤＢ３４及びユーザ情報ＤＢ３３に登録する。
【００３０】
登録情報ＤＢ３４に保持される登録情報は、例えば図３，図４に示すように８つの情報Ｄａ，Ｄｂ，Ｄｃ，Ｄｄ，Ｄｅ，Ｄｆ，Ｄｇ，Ｄｈによって構成される。各々の情報の内容は次の通りである。
Ｄａ：ユーザＩＤ
Ｄｂ：出発ゲートＩＤ
Ｄｃ：経由ゲートＩＤ
Ｄｄ：出発−経由ゲート間路線ＩＤ又は経由−経由ゲート間路線ＩＤ
Ｄｅ：到着ゲートＩＤ
Ｄｆ：経由−到着ゲート間路線ＩＤ
Ｄｇ：宛先端末アドレス
Ｄｈ：通知方法
なお、経由ゲートＩＤについては複数の経由ゲートを登録することもできる。複数の経由ゲートを登録する場合には、それに伴って経由−経由ゲート間の路線ＩＤの登録も可能にする。
【００３１】
また、出発ゲートＩＤを複数登録することもできる。その場合には、出発ゲート毎に、その出発ゲートＩＤを含む登録情報をそれぞれ登録すればよい。
なお、この例ではユーザ毎に個別にユーザＩＤを割り当てているが、各ユーザをその人の所持する認証媒体１０に割り当てられた媒体ＩＤで管理することもできる。その場合には、ユーザ情報ＤＢ３３は不要になる。
【００３２】
図４の例では、ユーザＩＤ：「１２３４５６７８９」のユーザが次の経路で移動を予定している場合を想定している。
出発ゲートＩＤ：１２３４（大手町駅）
経由ゲートＩＤ：１２３５（四ツ谷駅）
出発−経由ゲート間路線ＩＤ：３（営団地下鉄丸ノ内線）
到着ゲートＩＤ：１２３６（三鷹駅）
経由−到着ゲート間路線ＩＤ：１（ＪＲ中央線）
情報の配信先については、情報Ｄｇにより電話番号やメールアドレスを指定することができる。また、通知方法については情報Ｄｈにより電話（音声メッセージ）やＦＡＸメッセージやメールを選択することができる。
【００３３】
実際には、設定端末４１からＷｅｂサーバ３１にアクセスすると、図３，図４に示すような情報をそれぞれ入力するための入力フォーマットが表示されるので、表示された項目に移動予定の情報を入力すればよい。
時刻表ＤＢ３５は、鉄道の各路線毎に時刻表の情報を保持している。この時刻表には、各ゲート装置２０に割り当てられたゲートＩＤと駅とを対応付け、ゲートＩＤ毎に各列車の発着時刻を参照できるように時刻の情報が登録されている。
【００３４】
配信サーバ３２は、各ゲート装置２０から送信される情報に基づいてユーザ情報ＤＢ３３，登録情報ＤＢ３４及び時刻表ＤＢ３５を参照し、ユーザの到着予定時刻を求める。そして、指定された宛先端末４２に対して到着予定時刻の情報を通知する。
図２に示すシステムの動作について、図１を参照しながら説明する。
【００３５】
例えば、ユーザが出発駅（大手町駅）の改札口で自動改札装置、すなわちゲート装置２０に設置された媒体リーダ２１に所持している認証媒体１０を通すと、図１のステップＳ１１でゲート装置２０は認証媒体１０の通過を検出する。そして、ステップＳ１２で認証媒体１０から媒体ＩＤを読みとる。
この場合、認証媒体１０の通過を検出したゲート装置２０は、読み取った媒体ＩＤ及びそのゲート装置２０に予め割り当てられたゲートＩＤを配信装置３０に送信する。
【００３６】
配信装置３０は、各ゲート装置２０からの信号を受信すると、ステップＳ１３で媒体ＩＤをユーザＩＤに変換する。すなわち、媒体ＩＤとユーザＩＤとの対応関係がユーザ情報ＤＢ３３に登録されているので、それを参照してユーザＩＤを取得する。
ステップＳ１４では、Ｓ１３で得たユーザＩＤに対応する１組の登録情報を登録情報ＤＢ３４から抽出する。
【００３７】
ステップＳ１５では、抽出された登録情報に含まれている出発ゲートＩＤ（Ｄｂ）と送信元のゲート装置２０から得たゲートＩＤとを比較する。これらが一致する場合には、次のステップＳ１６に進む。
ステップＳ１６では、抽出された登録情報に含まれている各データを取り出し、該当する路線の時刻表と現在時刻とに基づいて列車を特定し、その列車が到着ゲートＩＤに相当する到着地点の最寄り駅に到着する時刻を到着予定時刻として時刻表から取得する。
【００３８】
また、経由地がある場合には複数の路線の時刻表を利用して到着予定時刻を算出する。その場合には、経由ゲートＩＤの地点における乗り換え所要時間を考慮して到着予定時刻を算出する。乗り換え所要時間については定数を利用しても良いし、時刻表の中で路線毎あるいは駅毎に異なる所要時間を割り当てるように管理しても良い。
【００３９】
なお、この例では現在時刻を基準にして到着予定時刻を算出しているが、例えば認証媒体１０の通過を検出したゲート装置２０がその通過時刻の情報を配信装置３０に送信するようにシステムを構成すれば、通過時刻に基づいて到着予定時刻を算出することもできる。
ステップＳ１７では、登録情報に含まれている宛先端末アドレス（Ｄｇ）及び通知方法（Ｄｈ）を取得する。
【００４０】
ステップＳ１８では、登録情報によって指定された通知方法で、指定された宛先端末４２に対して、到着予定時刻を含む情報を通知する。
例えば、通知方法（Ｄｈ）が電話の場合には、指定された宛先端末４２（固定電話や携帯電話）に対して電話をかけ、宛先端末４２の応答（受話器のフックアップ）を検出した後で、音声のアナウンス（トーキと呼ばれる）により、例えば「三鷹駅に２０時３５分に到着予定です」のメッセージを通知する。
【００４１】
また、通知方法（Ｄｈ）がＦＡＸの場合には、指定された宛先端末４２（ＦＡＸ端末）に対して、ファクシミリの画像により「三鷹駅に２０時３５分に到着予定です」のメッセージを通知する。
また、通知方法（Ｄｈ）がメールの場合には、指定されたメールアドレスの宛先端末４２（ＰＣ端末やメール受信が可能な携帯電話）に対してメールで「三鷹駅に２０時３５分に到着予定です」のメッセージを通知する。
【００４２】
（第２の実施の形態）
本発明の通過情報配信方法及びシステム並びに通過情報配信サーバのもう１つの実施の形態について、図５を参照して説明する。この形態は請求項３，請求項８及び請求項１２に相当する。
図５はシステムの動作例を示すシーケンス図である。この形態は第１の実施の形態の変形例であり、システムの構成は図２とほぼ同じである。システムの動作は図５に示すように多少変更されている。変更された部分のみについて以下に説明する。
【００４３】
この形態では、前述の登録情報をユーザが所持する認証媒体１０に記録しておく。そして、認証媒体１０がゲート装置２０を通過する際に、登録情報を認証媒体１０から読み取って配信装置３０に転送する。
すなわち、図５に示すステップＳ１２Ｂでは、認証媒体１０から媒体ＩＤだけでなく登録情報を読み取る。そして、媒体ＩＤ，ゲートＩＤ及び登録情報をゲート装置２０から配信装置３０に転送する。
【００４４】
このため、ユーザは事前にＷｅｂサーバ３１にアクセスして登録情報を送信する必要がない。また、登録情報ＤＢ３４も省略できる。
（第３の実施の形態）
本発明の通過情報配信方法及びシステム並びに通過情報配信サーバのもう１つの実施の形態について、図６及び図７を参照して説明する。この形態は請求項４，請求項９及び請求項１３に相当する。
【００４５】
この形態では、請求項９の記録媒体，ゲート装置，通信網，登録情報保持手段，交通情報取得手段，通過検出手段，登録情報取得手段，到着予定時刻計算手段及び情報通知手段は、それぞれ認証媒体１０，ゲート装置２０，通信網４０，登録情報ＤＢ３４，交通情報取得装置３６，ゲート装置２０，ステップＳ１４，ステップＳ１６Ｂ及びステップＳ１８に対応する。
【００４６】
図６はシステムの構成例を示すブロック図である。図７はシステムの動作例を示すシーケンス図である。この形態は第１の実施の形態の変形例である。図６及び図７において第１の実施の形態と対応する要素は同じ符号又はステップ番号を付けて示してある。第１の実施の形態と異なる部分について以下に説明する。
この形態では、ユーザが高速道路などの道路を自動車を利用して移動する場合を想定している。そのため、各ゲート装置２０は、高速道路の各路線の料金所などに設置してある。
【００４７】
配信装置３０には、交通情報を取得するための交通情報取得装置３６が設けてある。交通情報取得装置３６は、通信網４０を介して特定の情報提供サービスと接続し、各路線に関する交通情報を定期的に入手する。必要な交通情報は、道路上の複数地点間（ゲート間）の移動所要時間などである。この時間は、例えば渋滞の発生などによって変化するので、情報を定期的に入手する必要がある。
【００４８】
図７のステップＳ１６Ｂにおいて、配信装置３０は該当するユーザの登録情報と、信号の送信元のゲート装置２０のゲートＩＤと、交通情報取得装置３６が取得した交通情報と現在時刻とに基づいて、到着ゲートＩＤの位置に到着する予定時刻を算出する。例えば、出発ゲートＩＤの地点から到着ゲートＩＤの地点までの移動所要時間を交通情報から得て、それを現在時刻に加算すれば到着予定時刻が得られる。
【００４９】
【発明の効果】
本発明によれば、ユーザの移動予定を事前に登録しておくだけで目的地に到着する予定時刻の情報をユーザに提供することができる。従って、例えば通勤などでいつも同じ経路を通って移動するような日常的な用途であれば、移動予定を１回登録しておけばサービスを毎日利用することができる。しかも、情報の提供を受けるためにユーザは特別な操作をする必要がない。
【００５０】
例えば、ユーザが出勤する場合には、宛先端末として会社の端末を指定しておけば、そのユーザが会社に到着する予定時刻を会社で把握することができる。また、ユーザが帰宅する場合には、宛先端末として自宅の端末を指定しておけば、ユーザが自宅に帰宅する予定時刻を自宅にいる家族に知らせることができる。
【図面の簡単な説明】
【図１】システムの動作例を示すシーケンス図である。
【図２】システムの構成例を示すブロック図である。
【図３】登録情報の構成例を示す模式図である。
【図４】登録情報の具体例を示す模式図である。
【図５】システムの動作例を示すシーケンス図である。
【図６】システムの構成例を示すブロック図である。
【図７】システムの動作例を示すシーケンス図である。
【符号の説明】
１０  認証媒体
２０  ゲート装置
２１  媒体リーダ
３０  配信装置
３１  Ｗｅｂサーバ
３２  配信サーバ
３３  ユーザ情報ＤＢ
３４  登録情報ＤＢ
３５  時刻表ＤＢ
３６  交通情報取得装置
４０  通信網
４１  設定端末
４２  宛先端末
【図１】
2004234170.tif 000003
【図２】
2004234170.tif 000004
【図３】
2004234170.tif 000005
【図４】
2004234170.tif 000006
【図５】
2004234170.tif 000007
【図６】
2004234170.tif 000008
【図７】
2004234170.tif 000009